(57)【要約】【課題】    本発明は、石詰めネット篭を略直方体形状に容易に形成することができる石詰めネット篭の形成方法を提供することを目的としている。【解決手段】    石詰めネット篭の形成方法は、天井面が開放し、内部が略直方体形状に形成された型枠１と、この型枠１内の前記略直方体形状に合致するように形成されると共に天井面が開閉自在に形成された合成繊維の石詰めネット篭Ａとを備え、この石詰めネット篭Ａを型枠１内に置いて、石詰めネット篭Ａの前記天井面を開放した石詰めネット篭Ａ内に石２を敷き詰めて、敷き詰め後、石詰めネット篭Ａの前記天井面を塞いで石詰めネット篭Ａを略直方体形状に形成するものである。【選択図】図５
2006118126.tif 000002
【特許請求の範囲】
【請求項１】
天井面が開放し、内部が略直方体形状に形成された型枠と、
この型枠内の前記略直方体形状に合致するように形成されると共に天井面が開閉自在に形成された合成繊維の石詰めネット篭とを備え、
この石詰めネット篭を前記型枠内に置いて、前記石詰めネット篭の前記天井面を開放した前記石詰めネット篭内に石を敷き詰めて、敷き詰め後、前記石詰めネット篭の前記天井面を塞いで前記石詰めネット篭を略直方体形状に形成する
ことを特徴とする石詰めネット篭の形成方法。
【請求項２】
石詰めネット篭の底部、右側面部、前面部、左側面部、背面部の輪郭はロープで形成され、
前記底部、前記右側面部、前記前面部、前記左側面部、前記背面部の輪郭内は、それぞれ前記ロープより細い繊維で網状に形成され、
前記底部と対向する天井面を開閉する蓋部は前記背面部に接続され、
前記右側面部、前記前面部、前記左側面部、前記背面部に接続されて張り出すと共に、該張り出しの量が前記底部と対向する前記天井面を覆う大きさより大きい張り出し部が設けられ、
前記石詰めネット篭の前記天井面の塞ぎは、前記石詰めネット篭内に石を敷き詰めた後、前記張り出し部で前記底部と対向する天井面を覆うと共に、前記張り出し部の前記右側面部、前記前面部、前記左側面部、前記背面部の接続部位から遠い側の前記張り出し部の開放端部側を狭め、該狭めた部分を結束し、その後、前記張り出し部の上を前記蓋部で覆い、前記蓋部と前記右側面部、前記蓋部と前記前面部、前記蓋部と前記左側面部とをそれぞれ部分的に接続する
ことを特徴とする請求項１記載の石詰めネット篭の形成方法。
【請求項３】
前面部と右側面部の境部、右側面部と底面部の境部、右側面部と背面部の境部を１本のロープで接続され、一端は前面部と右側面部の輪郭を超えて突出し、他端は右側面部と背面部の輪郭を超えて突出する第１のロープと、
前面部と左側面部の境部、左側面部と底面部の境部、左側面部と背面部の境部を１本のロープで接続され、一端は前面部と左側面部の輪郭を超えて突出し、他端は左側面部と背面部の輪郭を超えて突出する第２のロープと、
この第２のロープと前記第１のロープとの間であって、前面部と右側面部の境部、右側面部と底面部の境部、右側面部と背面部の境部にそれぞれ平行で、前記前面部、前記底面部、前記背面部を横切り、一端は前面部の輪郭を超えて突出し、他端は背面部の輪郭を超えて突出する第３のロープと、
前面部と左側面部の境部、前面部と底面部の境部、底面部と右側面部の境部にそれぞれ平行で、前記左側面部、前記底面部、前記右側面部を横切り、一端は左側面部の輪郭を超えて突出し、他端は前記右側面部の輪郭を超えて突出する第４のロープとを備え、
前記第１のロープ、前記第２のロープ、前記第３のロープ及び前記第４のロープは、石詰めネット篭の一部を構成すると共に前記石詰めネット篭を移動する際の吊り用のロープを兼ねるものであることを特徴とする請求項１又は２記載の石詰めネット篭の形成方法。
【請求項４】
天井面が開放し、内部が略直方体形状に形成された型枠と、
この型枠内の前記略直方体形状に合致するように形成されると共に天井面が開閉自在に形成された合成繊維の石詰めネット篭と、
前記石詰めネット篭の底部、右側面部、前面部、左側面部、背面部の輪郭はロープで形成され、
前記底部、前記右側面部、前記前面部、前記左側面部、前記背面部の輪郭内は、それぞれ前記ロープより細い繊維で網状に形成され、
前記底部と対向する天井面を開閉する蓋部は前記背面部に接続され、
前面部と右側面部の境部、右側面部と底面部の境部、右側面部と背面部の境部を１本のロープで接続され、一端は前面部と右側面部の輪郭を超えて突出し、他端は右側面部と背面部の輪郭を超えて突出する第１のロープと、
前面部と左側面部の境部、左側面部と底面部の境部、左側面部と背面部の境部を１本のロープで接続され、一端は前面部と左側面部の輪郭を超えて突出し、他端は左側面部と背面部の輪郭を超えて突出する第２のロープと、
この第２のロープと前記第１のロープとの間であって、前面部と右側面部の境部、右側面部と底面部の境部、右側面部と背面部の境部にそれぞれ平行で、前記前面部、前記底面部、前記背面部を横切り、一端は前面部の輪郭を超えて突出し、他端は背面部の輪郭を超えて突出する第３のロープと、
前面部と左側面部の境部、前面部と底面部の境部、底面部と右側面部の境部にそれぞれ平行で、前記左側面部、前記底面部、前記右側面部を横切り、一端は左側面部の輪郭を超えて突出し、他端は前記右側面部の輪郭を超えて突出する第４のロープとを備え、
前記石詰めネット篭を前記型枠内に置いて、前記石詰めネット篭の前記天井面を開放した前記石詰めネット篭内に石を敷き詰めて、敷き詰め後、前記石詰めネット篭の前記天井面を塞いで前記石詰めネット篭を略直方体形状に形成し、
前記第１のロープ、前記第２のロープ、前記第３のロープ、前記第４のロープで吊って、前記石詰めネット篭を施工場所へ移動して前記石詰めネット篭を並設し、並設した一方の前記石詰めネット篭の隣接する前記第１のロープと並設した他方の前記石詰めネット篭の隣接する前記第１のロープ、前記第２のロープ、前記第３のロープ、前記第４のロープの内の何れか一つを結束することを特徴とする石詰めネット篭の並設形成方法。
【発明の詳細な説明】
【技術分野】
【０００１】
本発明は、石詰めネット篭の形成方法及び石詰めネット篭の並設形成方法に係り、特に、石詰めネット篭を略直方体形状に容易に形成することができる石詰めネット篭の形成方法及び石詰めネット篭の並設形成方法に関する。
【背景技術】
【０００２】
従来、河川、海岸線等の護岸工事において、蛇篭と称される直方体形状の金網内に石を敷き詰めているものを使用している（例えば、特許文献１参照）。
【特許文献１】特開平７−１０９７１８号公報
【発明の開示】
【発明が解決しようとする課題】
【０００３】
しかしながら、上述した蛇篭（特開平７−１０９７１８号公報）にあっては、矩形枠（１０）の４面に設けた吊り下げ金具を蛇篭（１）に取り付け、クレーン等で吊って蛇篭（１）を移動し、移動後、矩形枠（１０）の４面に設けた吊り下げ金具を蛇篭（１）から取り外さねば成らず、吊り下げ金具の取り付け、取り外しの作業性が良好でないと共に蛇篭が金網で形成されているため、腐食により損傷を受けると、内部に敷き詰められた石の重量により蛇篭（１）が破壊されてしまうという問題点が生じた。
本発明は、上述した問題点を除去するようにした石詰めネット篭の形成方法及び石詰めネット篭の並設形成方法を提供するものである。
【課題を解決するための手段】
【０００４】
前記した目的を達成するための本発明の石詰めネット篭の形成方法は、天井面が開放し、内部が略直方体形状に形成された型枠と、この型枠内の前記略直方体形状に合致するように形成されると共に天井面が開閉自在に形成された合成繊維の石詰めネット篭とを備え、この石詰めネット篭を前記型枠内に置いて、前記石詰めネット篭の前記天井面を開放した前記石詰めネット篭内に石を敷き詰めて、敷き詰め後、前記石詰めネット篭の前記天井面を塞いで前記石詰めネット篭を略直方体形状に形成するものである。
【０００５】
また、請求項２記載の石詰めネット篭の形成方法は、請求項１記載の石詰めネット篭の形成方法において、石詰めネット篭の底部、右側面部、前面部、左側面部、背面部の輪郭はロープで形成され、前記底部、前記右側面部、前記前面部、前記左側面部、前記背面部の輪郭内は、それぞれ前記ロープより細い繊維で網状に形成され、前記底部と対向する天井面を開閉する蓋部は前記背面部に接続され、前記右側面部、前記前面部、前記左側面部、前記背面部に接続されて張り出すと共に、該張り出しの量が前記底部と対向する前記天井面を覆う大きさより大きい張り出し部が設けられ、前記石詰めネット篭の前記天井面の塞ぎは、前記石詰めネット篭内に石を敷き詰めた後、前記張り出し部で前記底部と対向する天井面を覆うと共に、前記張り出し部の前記右側面部、前記前面部、前記左側面部、前記背面部の接続部位から遠い側の前記張り出し部の開放端部側を狭め、該狭めた部分を結束し、その後、前記張り出し部の上を前記蓋部で覆い、前記蓋部と前記右側面部、前記蓋部と前記前面部、前記蓋部と前記左側面部とをそれぞれ部分的に接続するものである。
【０００６】
また、請求項３記載の石詰めネット篭の形成方法は、請求項１又は２記載の石詰めネット篭の形成方法において、 前面部と右側面部の境部、右側面部と底面部の境部、右側面部と背面部の境部を１本のロープで接続され、一端は前面部と右側面部の輪郭を超えて突出し、他端は右側面部と背面部の輪郭を超えて突出する第１のロープと、前面部と左側面部の境部、左側面部と底面部の境部、左側面部と背面部の境部を１本のロープで接続され、一端は前面部と左側面部の輪郭を超えて突出し、他端は左側面部と背面部の輪郭を超えて突出する第２のロープと、この第２のロープと前記第１のロープとの間であって、前面部と右側面部の境部、右側面部と底面部の境部、右側面部と背面部の境部にそれぞれ平行で、前記前面部、前記底面部、前記背面部を横切り、一端は前面部の輪郭を超えて突出し、他端は背面部の輪郭を超えて突出する第３のロープと、前面部と左側面部の境部、前面部と底面部の境部、底面部と右側面部の境部にそれぞれ平行で、前記左側面部、前記底面部、前記右側面部を横切り、一端は左側面部の輪郭を超えて突出し、他端は前記右側面部の輪郭を超えて突出する第４のロープとを備え、前記第１のロープ、前記第２のロープ、前記第３のロープ及び前記第４のロープは、石詰めネット篭の一部を構成すると共に前記石詰めネット篭を移動する際の吊り用のロープを兼ねるものである。
【０００７】
また、請求項４記載の石詰めネット篭の並設形成方法は、天井面が開放し、内部が略直方体形状に形成された型枠と、この型枠内の前記略直方体形状に合致するように形成されると共に天井面が開閉自在に形成された合成繊維の石詰めネット篭と、前記石詰めネット篭の底部、右側面部、前面部、左側面部、背面部の輪郭はロープで形成され、前記底部、前記右側面部、前記前面部、前記左側面部、前記背面部の輪郭内は、それぞれ前記ロープより細い繊維で網状に形成され、前記底部と対向する天井面を開閉する蓋部は前記背面部に接続され、前面部と右側面部の境部、右側面部と底面部の境部、右側面部と背面部の境部を１本のロープで接続され、一端は前面部と右側面部の輪郭を超えて突出し、他端は右側面部と背面部の輪郭を超えて突出する第１のロープと、前面部と左側面部の境部、左側面部と底面部の境部、左側面部と背面部の境部を１本のロープで接続され、一端は前面部と左側面部の輪郭を超えて突出し、他端は左側面部と背面部の輪郭を超えて突出する第２のロープと、この第２のロープと前記第１のロープとの間であって、前面部と右側面部の境部、右側面部と底面部の境部、右側面部と背面部の境部にそれぞれ平行で、前記前面部、前記底面部、前記背面部を横切り、一端は前面部の輪郭を超えて突出し、他端は背面部の輪郭を超えて突出する第３のロープと、前面部と左側面部の境部、前面部と底面部の境部、底面部と右側面部の境部にそれぞれ平行で、前記左側面部、前記底面部、前記右側面部を横切り、一端は左側面部の輪郭を超えて突出し、他端は前記右側面部の輪郭を超えて突出する第４のロープとを備え、前記石詰めネット篭を前記型枠内に置いて、前記石詰めネット篭の前記天井面を開放した前記石詰めネット篭内に石を敷き詰めて、敷き詰め後、前記石詰めネット篭の前記天井面を塞いで前記石詰めネット篭を略直方体形状に形成し、前記第１のロープ、前記第２のロープ、前記第３のロープ、前記第４のロープで吊って、前記石詰めネット篭を施工場所へ移動して前記石詰めネット篭を並設し、並設した一方の前記石詰めネット篭の隣接する前記第１のロープと並設した他方の前記石詰めネット篭の隣接する前記第１のロープ、前記第２のロープ、前記第３のロープ、前記第４のロープの内の何れか一つを結束するものである。
【発明の効果】
【０００８】
請求項１記載の石詰めネット篭の形成方法によれば、 天井面が開放し、内部が略直方体形状に形成された型枠と、この型枠内の前記略直方体形状に合致するように形成されると共に天井面が開閉自在に形成された合成繊維の石詰めネット篭とを備えているため、この石詰めネット篭を前記型枠内に置いて、前記石詰めネット篭の前記天井面を開放した前記石詰めネット篭内に石を敷き詰めて、敷き詰め後、前記石詰めネット篭の前記天井面を塞ぐことにより熟練を要しないでも石詰めネット篭を簡易に略直方体形状に形成することができる。 
【０００９】
また、請求項２記載の石詰めネット篭の形成方法によれば、前述した請求項１記載の発明の効果に加え、石詰めネット篭の天井面の塞ぎは、前記石詰めネット篭内に石を敷き詰めた後、張り出し部で底部と対向する天井面を覆うと共に、前記張り出し部の右側面部、前面部、左側面部、背面部の接続部位から遠い側の前記張り出し部の開放端部側を狭め、該狭めた部分を結束し、その後、前記張り出し部の上を蓋部で覆うため、前記蓋部と前記右側面部、前記蓋部と前記前面部、前記蓋部と前記左側面部とをそれぞれ部分的に接続すれば良く、前記蓋部と前記右側面部、前記蓋部と前記前面部、前記蓋部と前記左側面部とを全体に亘って接続する必要がない分、作業性が良好となる。
【００１０】
また、請求項３記載の石詰めネット篭の形成方法によれば、前述した請求項１又は２記載の発明の効果に加え、第１のロープ、第２のロープ、第３のロープ及び第４のロープは、石詰めネット篭の一部を構成すると共に前記石詰めネット篭を移動する際の吊り用のロープを兼ねるものであるため、石詰めネット篭の移動を迅速に行うことができる。
【００１１】
また、請求項４記載の石詰めネット篭の並設形成方法によれば、天井面が開放し、内部が略直方体形状に形成された型枠と、この型枠内の前記略直方体形状に合致するように形成されると共に天井面が開閉自在に形成された合成繊維の石詰めネット篭とを備えているため、この石詰めネット篭を前記型枠内に置いて、前記石詰めネット篭の前記天井面を開放した前記石詰めネット篭内に石を敷き詰めて、敷き詰め後、前記石詰めネット篭の前記天井面を塞ぐことにより熟練を要しないでも石詰めネット篭を簡易に略直方体形状に形成することができ、
しかも、第１のロープ、第２のロープ、第３のロープ及び第４のロープは、石詰めネット篭の一部を構成すると共に前記石詰めネット篭を移動する際の吊り用のロープを兼ねるものであるため、石詰めネット篭の移動を迅速に行うことができ、
更に、石詰めネット篭を施工場所へ移動して前記石詰めネット篭を並設し、並設した一方の前記石詰めネット篭の隣接する前記第１のロープと並設した他方の前記石詰めネット篭の隣接する前記第１のロープ、前記第２のロープ、前記第３のロープ、前記第４のロープの内の何れか一つを結束するため、施工場所が海、川である場合、流れに対して強固
に保つことができる。
【実施例】
【００１２】
本発明の一実施例の石詰めネット篭の形成方法及び石詰めネット篭の並設形成方法を図面を参照して説明する。
図１乃至図８において、１は、天井面が開放し、内部が略直方体形状に形成された型枠で、型枠１は、例えば、地面Ｇを掘って型枠１の底面となる面を平らにすると共に、矩形形状の板材１１，１２，１３，１４を立設して形成する。Ａは合成繊維の石詰めネット篭で、型枠１内の前記略直方体形状に合致するように形成されると共に天井面が開閉自在に形成されている。図１においては、合成繊維の石詰めネット篭Ａは、略直方体形状に図示されているが、実際には、柔軟性があり、それ自身では、略直方体形状を保持できず、型枠１内で略直方体形状となる。
【００１３】
石詰めネット篭Ａの底部Ａ１、右側面部Ａ２、前面部Ａ３、左側面部Ａ４、背面部Ａ５の輪郭はロープで形成されている。また、底部Ａ１、右側面部Ａ２、前面部Ａ３、左側面部Ａ４、背面部Ａ５の輪郭内は、それぞれ前記ロープより細い繊維で網状に形成され、
また、底部Ａ１と対向する天井面を開閉する蓋部Ａ６は背面部Ａ５に接続されている。
Ａ７は張り出し部で、張り出し部Ａ７は、右側面部Ａ２、前面部Ａ３、左側面部Ａ４、背面部Ａ５に接続されて、右側面部Ａ２、前面部Ａ３、左側面部Ａ４、背面部Ａ５よりそれぞれ張り出すと共に、該張り出しの量が底部Ａ１と対向する天井面を覆う大きさより大きくなっている。
【００１４】
Ｒ１は第１のロープで、第１のロープＲ１は、前面部Ａ３と右側面部Ａ２の境部Ｋ１、右側面部Ａ２と底面部Ａ１の境部Ｋ２、右側面部Ａ２と背面部Ａ５の境部Ｋ３を１本のロープで接続され、一端は前面部Ａ３と右側面部Ａ２の輪郭を超えて突出し、他端は右側面部Ａ２と背面部Ａ５の輪郭を超えて突出するロープである。
Ｒ２は第２のロープで、第２のロープＲ２は、前面部Ａ３と左側面部Ａ４の境部Ｋ４、左側面部Ａ４と底面部Ａ１の境部Ｋ５、左側面部Ａ４と背面部Ａ５の境部Ｋ６を１本のロープで接続され、一端は前面部Ａ３と左側面部Ａ４の輪郭を超えて突出し、他端は左側面部Ａ４と背面部Ａ５の輪郭を超えて突出するロープである。
Ｒ３は第３のロープで、第３のロープＲ３は、第２のロープＲ２と第１のロープＲ１との間であって、前面部Ａ３と右側面部Ａ２の境部Ｋ１、右側面部Ａ２と底面部Ａ１の境部Ｋ２、右側面部Ａ２と背面部Ａ５の境部Ｋ３にそれぞれ平行で、前面部Ａ３、底面部Ａ１、背面部Ａ５を横切り、一端は前面部Ａ３の輪郭を超えて突出し、他端は背面部Ａ５の輪郭を超えて突出するロープである。
Ｒ４は第４のロープで、第４のロープＲ４は、前面部Ａ３と左側面部Ａ４の境部Ｋ４、前面部Ａ３と底面部Ａ１の境部Ｋ７、底面部Ａ１と右側面部Ａ２の境部Ｋ２にそれぞれ平行で、左側面部Ａ４、底面部Ａ１、右側面部Ａ２を横切り、一端は左側面部Ａ４の輪郭を超えて突出し、他端は右側面部Ａ２の輪郭を超えて突出するロープである。
Ｒ５は第５のロープで、第５のロープＲ５は、前面部Ａ３と左側面部Ａ４の境部Ｋ４、前面部Ａ３と底面部Ａ１の境部Ｋ７、底面部Ａ１と右側面部Ａ２の境部Ｋ２にそれぞれ平行で、左側面部Ａ４、底面部Ａ１、右側面部Ａ２を横切り、一端は左側面部Ａ４の輪郭を超えて突出し、他端は右側面部Ａ２の輪郭を超えて突出するロープである。
これら第１のロープＲ１、第２のロープＲ２、第３のロープＲ３、第４のロープＲ４及び第５のロープＲ５は、石詰めネット篭Ａの一部を構成すると共に石詰めネット篭Ａを移動する際の吊り用のロープを兼ねるものであるため、石詰めネット篭Ａの移動を迅速に行うことができる。なお、場合により、第５のロープＲ５は、省略しても良い。
【００１５】
石詰めネット篭Ａ内に石２を詰めるには、図１乃至図３に示すように、合成繊維の石詰めネット篭Ａを型枠１内に置く。そして、石詰めネット篭Ａの天井面を開放した石詰めネット篭Ａ内に石２を敷き詰めて、敷き詰め後、石詰めネット篭Ａの天井面を塞いで石詰めネット篭Ａを略直方体形状に形成する。
【００１６】
この石詰めネット篭の形成方法によれば、天井面が開放し、内部が略直方体形状に形成された型枠１と、この型枠１内の前記略直方体形状に合致するように形成されると共に天井面が開閉自在に形成された合成繊維の石詰めネット篭Ａとを備えているため、この石詰めネット篭Ａを型枠１内に置いて、石詰めネット篭Ａの天井面を開放した石詰めネット篭Ａ内に石２を敷き詰めて、敷き詰め後、石詰めネット篭Ａの天井面を塞ぐことにより熟練を要しないでも石詰めネット篭Ａを簡易に略直方体形状に形成することができる。 
【００１７】
なお、石詰めネット篭Ａの天井面の塞ぎは、石詰めネット篭Ａ内に石２を敷き詰めた後、張り出し部Ａ７で底部Ａ１と対向する天井面を覆うと共に、張り出し部Ａ７の右側面部Ａ２、前面部Ａ３、左側面部Ａ４、背面部Ａ５の接続部位から遠い側の張り出し部Ａ７の開放端部側を狭め、該狭めた部分を紐３で結束し、その後、張り出し部Ａ７の上を蓋部Ａ６で覆い、蓋部Ａ６と右側面部Ａ２、蓋部Ａ６と前面部Ａ３、蓋部Ａ６と左側面部Ａ４とをそれぞれ部分的に、例えば、紐４で接続する。従って、蓋部Ａ６と右側面部Ａ２、蓋部Ａ６と前面部Ａ３、蓋部Ａ６と左側面部Ａ４とを全体に亘って接続する必要がない分、作業性が良好となる。
【００１８】
なお、合成繊維の石詰めネット篭Ａを型枠１内に置いて、石詰めネット篭Ａを略直方体形状に形成し、クレーン等により第１のロープＲ1、第２のロープＲ2、第３のロープＲ3、第４のロープＲ4を吊って、図８及び図９に示す施工場所へ石詰めネット篭Ａを施工場所へ移動して石詰めネット篭Ａを並設し、並設した一方の石詰めネット篭Ａの隣接する第１のロープＲ１と並設した他方の石詰めネット篭Ａの隣接する第１のロープＲ１、第２のロープＲ２、第３のロープＲ３、第４のロープＲ４の内の何れか一つを結束する。
その結果、並設した石詰めネット篭Ａ施工場所が海、川である場合、流れに対して石詰めネット篭Ａの並設した状態を強固に保つことができる。
【図面の簡単な説明】
【００１９】
【図１】図１は、本発明の一実施例の石詰めネット篭の形成方法の一過程を示すのもので、型枠に石詰めネット篭を入れようとする状態の概略的斜視図である。
【図２】図２は、図１の型枠に石詰めネット篭を入れた状態の概略的斜視図である。
【図３】図３は、図２の型枠に石詰めネット篭を入れた状態の概略的斜視図である。
【図４】図４は、 図３の石詰めネット篭内に石を入れ、張り出し部の開放端部側を狭め、該狭めた部分を紐で結束した状態の概略的断面図である。
【図５】図５は、石詰めネット篭を吊り上げようとする状態の概略的斜視図である。
【図６】図６は、図５の型枠から石詰めネット篭を吊り上げ離脱した状態の概略的断面図である。
【図７】図７は、石を内在した石詰めネット篭を施工場所へ積み上げている状態の概略的な図である。
【図８】図８は、石詰めネット篭の上にテトラポットを置いた状態の概略的な図である。
【符号の説明】
【００２０】
Ａ      ・・・・・合成繊維の石詰めネット篭
Ａ１    ・・・・・上面
１      ・・・・・型枠
２      ・・・・・石
【図１】
2006118126.tif 000003
【図２】
2006118126.tif 000004
【図３】
2006118126.tif 000005
【図４】
2006118126.tif 000006
【図５】
2006118126.tif 000007
【図６】
2006118126.tif 000008
【図７】
2006118126.tif 000009
【図８】
2006118126.tif 000010